(57)【要約】 【課題】下部構造の地上部分のみならず地下部分も合わせて耐震補強する。【解決手段】本発明に係る本実施形態に係る高架橋の耐震補強構造１は、基礎梁６，６及び直交基礎梁７，７で取り囲まれた矩形状平面空間の周縁に沿って鋼矢板１３をボックス状に地盤１４に埋設するとともに、該鋼矢板の頭部が接合されるように鉄筋コンクリート床板６２を矩形状平面空間に構築してなり、鋼矢板１３及び鉄筋コンクリート床板６２は、耐震補強工事の際にあらたに増設される第２の基礎構造としての基礎構造６３を形成する。矩形状平面空間の直上には立体ダンパーブレース７１を配置してあり、ラーメン架構４からの地震時水平力及びロッキング振動に伴う圧縮力及び引張力を基礎構造６３に伝達するようになっている。【選択図】  図１
2008223327.tif 000002
【特許請求の範囲】
【請求項１】
高架橋の橋軸方向に沿って対向配置された一対の基礎梁と該一対の基礎梁にほぼ直交するように配置された直交基礎梁とが矩形状又は梯子状に緊結されてなり前記高架橋の上部構造を支持するラーメン架構が立設された第１の基礎構造と、前記基礎梁及び前記直交基礎梁で取り囲まれた矩形状平面空間の周縁に沿って地盤に埋設された鋼矢板と該鋼矢板の頭部が接合されるようにかつ前記第１の基礎構造と非連結となるように前記矩形状平面空間に構築された鉄筋コンクリート床板とからなる第２の基礎構造と、前記矩形状平面空間の直上に複数のブレース本体を逆多角錐状に配置するとともにそれらの上端を前記ラーメン架構を構成する柱のうち、前記矩形状平面空間を取り囲む柱の頭部近傍に接合しそれらの下端を前記鉄筋コンクリート床板の中央近傍に接合してなる立体ブレースとを備えたことを特徴とする高架橋の耐震補強構造。
【請求項２】
前記複数のブレース本体と前記鉄筋コンクリート床板との間にダンパーを介在させることで前記立体ブレースを立体ダンパーブレースとした請求項１記載の高架橋の耐震補強構造。
【発明の詳細な説明】
【技術分野】
【０００１】
本発明は、主として鉄道用に係る高架橋の耐震補強構造に関する。
【背景技術】
【０００２】
鉄道用高架橋の下部構造は、通常、鉄筋コンクリートのラーメン架構として構築されることが多いが、その設計施工の際には、地震時における高架橋の耐震性が十分検討されなければならない。特に、橋軸直交方向については、列車の脱線を未然に防止できるよう、同方向の剛性を十分に高めておく必要がある。
【０００３】
かかる状況下、本出願人は鉄筋コンクリートのラーメン架構内にダンパーブレースを配設した高架橋の下部構造を研究開発し、耐震性の向上を図ってきた。
【０００４】
ここで、既設の高架橋にダンパーブレースを配置する場合には、地上に構築される部分のみならず、地下部分についても耐震性を向上させる必要があるところ、基礎梁の再施工には多額の費用と時間を要する。
【０００５】
そのため、本出願人は、ラーメン架構を支持する既設の杭から離間した位置にあらたな杭を増し杭として設けるとともに、該増し杭の杭頭と梁の両端近傍又は柱の頭部近傍とをブレースを介して相互に連結する耐震補強構造を開発した。
【０００６】
【特許文献１】特開２００１−０２０２２８号公報
【特許文献２】特開２００４−２７０１６８号公報
【発明の開示】
【発明が解決しようとする課題】
【０００７】
上述した耐震補強構造によれば、鉛直荷重は従前通り、既設の杭で支持する一方、地震時水平力については、その一部をブレースを介して増し杭に伝達させることが可能となり、かくして高架橋の下部構造を地上部分のみならず地下部分についても耐震補強することが可能となる。
【０００８】
しかしながら、かかる耐震補強構造であっても、増設される杭を大断面杭としなければならないため、経済性の観点では未だ開発の余地があった。
【課題を解決するための手段】
【０００９】
本発明は、上述した事情を考慮してなされたもので、下部構造の地上部分のみならず地下部分も合わせて耐震補強可能な高架橋の耐震補強構造を提供することを目的とする。
【００１０】
上記目的を達成するため、本発明に係る高架橋の耐震補強構造は請求項１に記載したように、高架橋の橋軸方向に沿って対向配置された一対の基礎梁と該一対の基礎梁にほぼ直交するように配置された直交基礎梁とが矩形状又は梯子状に緊結されてなり前記高架橋の上部構造を支持するラーメン架構が立設された第１の基礎構造と、前記基礎梁及び前記直交基礎梁で取り囲まれた矩形状平面空間の周縁に沿って地盤に埋設された鋼矢板と該鋼矢板の頭部が接合されるようにかつ前記第１の基礎構造と非連結となるように前記矩形状平面空間に構築された鉄筋コンクリート床板とからなる第２の基礎構造と、前記矩形状平面空間の直上に複数のブレース本体を逆多角錐状に配置するとともにそれらの上端を前記ラーメン架構を構成する柱のうち、前記矩形状平面空間を取り囲む柱の頭部近傍に接合しそれらの下端を前記鉄筋コンクリート床板の中央近傍に接合してなる立体ブレースとを備えたものである。
【００１１】
また、本発明に係る高架橋の耐震補強構造は、前記複数のブレース本体と前記鉄筋コンクリート床板との間にダンパーを介在させることで前記立体ブレースを立体ダンパーブレースとしたものである。
【００１２】
本発明は、地上部分であるラーメン架構と該ラーメン架構が立設された地下部分の基礎構造（第１の基礎構造）とからなる高架橋の下部構造を耐震補強の対象としたものであり、第１の基礎構造は、高架橋の橋軸方向に沿って対向配置された一対の基礎梁と該一対の基礎梁にほぼ直交するように配置された直交基礎梁とを矩形状又は梯子状に緊結して構成してある。
【００１３】
そして、本発明においては、上述した基礎梁及び直交基礎梁で取り囲まれた矩形状平面空間の周縁に沿って、シートパイルとも呼ばれる鋼矢板を地盤に埋設するとともに、該鋼矢板の頭部が接合されるようにかつ第１の基礎構造と非連結となるように、矩形状平面空間に鉄筋コンクリート床板をあらたに構築し、これを第２の基礎構造とした上、矩形状平面空間を取り囲む柱の頭部近傍に複数のブレース本体を接合し、それらの下端を鉄筋コンクリート床板の中央近傍に接合して立体ブレースを構築する。
【００１４】
このようにすると、ラーメン架構を介して既設の基礎構造である第１の基礎構造に流れていた地震時水平力は、耐震補強後、その一部が、増設された基礎構造である第２の基礎構造に立体ブレースを介して流れ、結果として、高架橋上部構造からの地震時水平力を、第１の基礎構造のみならず、第２の基礎構造にあらたに負担させることが可能となり、立体ブレースによる地上部分の耐震補強と相俟って、高架橋の下部構造を全体的に耐震補強することが可能となる。
【００１５】
加えて、橋軸直交方向に沿ったラーメン架構全体のロッキング振動に起因して生じる地震時の引抜き力や圧縮力は、上述した水平力と同様、それらの一部が立体ブレースを介して第２の基礎構造に流れる。そして、これらの引抜き力又は圧縮力は、鋼矢板と周辺地盤との摩擦力、特に、基礎梁に沿って配置された鋼矢板と周辺地盤との摩擦力で支持される。
【００１６】
立体ブレースは、３以上のブレース本体が同一構面に配置されない、換言すれば３以上のブレース本体を互いに平行でない２つの異なる構面に配置してなるブレースという意味であって、ブレース本体が４本の場合、逆多角錐状は逆四角錐状となる。さらには、矩形状平面空間が正方形であってブレース本体の下端を鉄筋コンクリート床板の中央に接合した場合、立体ブレースの形状は、正四角錐の上下を逆にした形状となる。
【００１７】
なお、本明細書では、狭義のブレースに加えて、ダンパー機構を組み込んだダンパーブレースを包摂する概念として、ブレースなる用語を広義に用いるものとする。
【００１８】
鋼矢板を矩形状平面空間の周縁に沿って必ずしも全周配置する必要はないが、橋軸直交方向に沿ったラーメン架構のロッキング振動に起因した引抜き力や圧縮力を支持させるのであれば、対向する一対の基礎梁の内側にてそれぞれ地盤に埋設するのが有効である。一方、橋軸直交方向の水平地震力を支持させるのであれば、対向する一対の直交基礎梁の内側にてそれぞれ地盤に埋設するのが有効である。
【００１９】
鋼矢板は、第１の基礎構造を構成する基礎梁や直交基礎梁に接触してもかまわないが、構造的には互いに縁を切って非連結とする。かかる構成によって、施工の効率化を図ることができるとともに、第１の基礎構造や該第１の基礎構造に立設されたラーメン架構との相互作用が低減され、設計も容易となる。
【００２０】
鋼矢板と鉄筋コンクリート床板との接合構造は、立体ブレースから伝達される引抜き力や圧縮力が鋼矢板に伝達される限り、任意の構造を採用することが可能であり、剛接合でもよいし、ピン接合でもかまわない。
【発明を実施するための最良の形態】
【００２１】
以下、本発明に係る高架橋の耐震補強構造の実施の形態について、添付図面を参照して説明する。なお、従来技術と実質的に同一の部品等については同一の符号を付してその説明を省略する。
【００２２】
図１乃至図３は、本実施形態に係る高架橋の耐震補強構造を示した図である。これらの図でわかるように本実施形態に係る高架橋の耐震補強構造１は、地上部分であって一対の柱８，８と該柱の頭部に架け渡された梁９とで構成してなるラーメン架構４と該ラーメン架構が立設された第１の基礎構造としての地下部分の基礎構造５とからなる高架橋の下部構造３を耐震補強の対象としたものであり、基礎構造５は、高架橋の橋軸方向に沿って対向配置された一対の基礎梁６，６と該一対の基礎梁にほぼ直交するように配置された複数の直交基礎梁７とを梯子状に緊結して構成してある。かかる基礎構造５は、橋軸方向に沿って連続的に構築され、地上部分であるラーメン架構４を介して高架橋の上部構造２を支持している。
【００２３】
本実施形態に係る耐震補強構造１は、基礎梁６，６及び直交基礎梁７，７で取り囲まれた矩形状平面空間の周縁、換言すれば基礎梁６，６及び直交基礎梁７，７の内側に沿って鋼矢板１３をボックス状に地盤１４に埋設するとともに、該鋼矢板の頭部が接合されるように鉄筋コンクリート床板６２を矩形状平面空間に構築してなり、鋼矢板１３及び鉄筋コンクリート床板６２は、耐震補強工事の際にあらたに増設される第２の基礎構造としての基礎構造６３を形成する。
【００２４】
ここで、耐震補強構造１は、基礎梁６，６及び直交基礎梁７，７で取り囲まれた矩形状平面空間の直上に立体ブレースとしての立体ダンパーブレース７１を配置してなる。
【００２５】
立体ダンパーブレース７１は、矩形状平面空間の直上に４本のブレース本体７２を逆四角錐状に配置するとともに、それらの上端をラーメン架構４を構成する柱８のうち、矩形状平面空間を取り囲む柱８の頭部近傍に接合し、それらの下端を履歴減衰ダンパー７３を介して鉄筋コンクリート床板６２の中央近傍に接合して構成してあり、ラーメン架構４からの地震時水平力及びロッキング振動に伴う圧縮力及び引張力を基礎構造６３に伝達するようになっている。
【００２６】
本実施形態に係る高架橋の耐震補強構造１を構築するには、まず、基礎梁６，６及び直交基礎梁７，７の内側に沿って鋼矢板１３をボックス状に地盤１４に埋設する。鋼矢板１３は、バイブロハンマーによって地盤１４に揺動圧入するようにしてもよいし、油圧ハンマーによって地盤１４に打ち込むようにしてもよい。いずれにしろ、鋼矢板１３の施工については、従来行われている公知の方法に従って行えばよい。
【００２７】
次に、鋼矢板１３で囲まれた地盤を掘り下げて矩形状平面空間を形成し、次いで、該矩形状平面空間に鉄筋コンクリート床板６２を構築する。このとき、鋼矢板１３の頭部が鉄筋コンクリート床板６２に接合されるよう、例えば鋼矢板１３の頭部にスタッドを溶接するとともに、コンクリートが打設される矩形状平面空間に補強筋を配筋し、かかる状態で矩形状平面空間にコンクリートを打設する。
【００２８】
次に、鉄筋コンクリート床板６２の直上に立体ダンパーブレース７２を配置する。
【００２９】
本実施形態に係る高架橋の耐震補強構造１においては図４に示すように、地震時に上部構造２から下部構造３に作用する水平力は、既設の基礎構造５に流れるほか、立体ダンパーブレース７１を介して、耐震補強工事であらたに増設した基礎構造６３に流れ、該基礎構造で支持される。
【００３０】
具体的には、立体ダンパーブレース７１を介して伝達されてきた水平力は、鉄筋コンクリート床板６２に伝達された後、直交基礎梁７，７に沿って配置された鋼矢板１３と周辺地盤との摩擦力で支持されるとともに、基礎梁６，６に沿って配置された鋼矢板１３と周辺地盤との法線方向力（面圧）で支持される。
【００３１】
また、ラーメン架構４のロッキング振動に伴う引抜き力及び圧縮力は、立体ダンパーブレース７１を介して基礎構造６３に伝達され、基礎梁６，６に沿った側に配置された鋼矢板１３と周辺地盤との摩擦力で支持される。
【００３２】
すなわち、基礎梁６，６に沿った側に配置された鋼矢板１３は、設置幅Ｗ×埋込み深さＤの面積をもって地盤１４と接している。そのため、引抜き力や圧縮力は、既存の杭１５による周面摩擦力に加えて、鋼矢板１３と周辺地盤との間に生じる大きな摩擦力で確実に支持される。
【００３３】
以上説明したように、本実施形態に係る高架橋の耐震補強構造１によれば、ラーメン架構４を介して既設の基礎構造５に流れていた地震時水平力は、耐震補強後、その一部が、増設された基礎構造６３に立体ダンパーブレース７１を介して流れ、結果として、高架橋上部構造２からの地震時水平力を、既設の基礎構造５のみならず、基礎構造６３にあらたに負担させることが可能となり、かくして、高架橋の下部構造のうち、地下部分を耐震補強することができる。
【００３４】
また、本実施形態に係る高架橋の耐震補強構造１によれば、ラーメン架構４全体のロッキング振動に起因した引抜き力や圧縮力は、杭１５と周辺地盤との周面摩擦力で支持されるほか、基礎梁６，６に沿って配置された鋼矢板１３と周辺地盤との摩擦力で支持される。
【００３５】
したがって、立体ダンパーブレース７１による耐震補強作用と相俟って、高架橋の下部構造３を全体的に耐震補強することが可能となる。
【００３６】
本実施形態では、ブレースとして履歴減衰ダンパー１０が組み込まれた立体ダンパーブレース７１を採用したが、ダンパーを組み込むかどうかは任意であり、これを省略し、ブレース本体７２のみでブレースを構成してもかまわない。かかる場合においては、ブレース本体７２の下端を鉄筋コンクリート床板６２に剛接して構成することとなる。
【図面の簡単な説明】
【００３７】
【図１】本実施形態に係る高架橋の耐震補強構造の鉛直断面図。
【図２】Ａ−Ａ線に沿う水平断面図。
【図３】Ｂ−Ｂ線に沿う鉛直断面図。
【図４】本実施形態に係る高架橋の耐震補強構造における作用を示した図。
【符号の説明】
【００３８】
１                            高架橋の耐震補強構造
２                            高架橋の上部構造
３                            高架橋の下部構造
４                            ラーメン架構
５                            基礎構造（第１の基礎構造）
６                            基礎梁
７                            直交基礎梁
８                            柱
１３                          鋼矢板
１４                          地盤
６２                          鉄筋コンクリート床板
６３                          基礎構造（第２の基礎構造）
７１                          立体ダンパーブレース（立体ブレース）
７２                          ブレース本体
７３                          履歴減衰ダンパー
【図１】
2008223327.tif 000003
【図２】
2008223327.tif 000004
【図３】
2008223327.tif 000005
【図４】
2008223327.tif 000006